【誤訳訂正書】
【提出日】平成24年6月26日(2012.6.26)
【誤訳訂正１】
【訂正対象書類名】特許請求の範囲
【訂正対象項目名】全文
【訂正方法】変更
【訂正の内容】
【特許請求の範囲】
【請求項１】
パッシブマトリックス電子発光ディスプレイの駆動方法であって、前記ディスプレイは、各行電極及び列電極によってアドレスされる発光要素の複数の行及び列を有し、前記方法は、
１つずつ前記行電極をアドレスすることと、
各前記行電極をアドレスする間に、一組の前記列電極を駆動することとを含み、
前記方法は、さらに、
一組の前記発光要素の駆動レベルデータを、前記一組の列電極全体での駆動電流に対する各列電極の駆動電流の列駆動電流信号比率を定義する第１のデータと、アドレスされる行電極の駆動電流を定義する第２のデータとに変換することと、
各々の前記列駆動電流信号比率を用いて前記列電極を駆動することと、
前記アドレスされた行の前記発光要素への駆動電流を制御するために前記行電極の駆動電流を用いて各アドレスされた行電極を駆動することとを含み、
前記列電極を駆動することは、１つの参照入力と複数の出力を有する電流ミラーを備える電流ドライバで前記列電極を駆動することを含み、
前記電流ミラーの前記複数の出力は、前記列電極に接続され、前記列電極のうちの１つが前記電流ミラーの前記参照入力に接続されることを特徴とする方法。
【請求項２】
前記列電極の駆動は、前記列駆動信号比率を決定するための複数の第１のデジタル−アナログコンバータと、前記行駆動電流を決定するための第２のデジタル−アナログコンバータとを使用し、前記第２のデジタル−アナログコンバータは、前記第１のデジタル−アナログコンバータよりも高い分解能を有することを特徴とする請求項１に記載の方法。
【請求項３】
前記一組の列電極は、前記ディスプレイの全ての列電極から構成されることを特徴とする請求項１または２に記載の方法。
【請求項４】
前記ディスプレイは、ＯＬＥＤディスプレイであり、前記発光要素は、有機発光ダイオードを備えることを特徴とする請求項１から３に記載の方法。
【請求項５】
パッシブマトリックス電子発光ディスプレイのドライバであって、前記ディスプレイは、各行電極及び列電極によってアドレスされる発光要素の複数の行及び列を有し、前記ドライバは、
一組の列電極全体での駆動電流に対する各列電極の駆動電流の列電極駆動比率に従って、前記一組の列電極を駆動する列ドライバと、
前記行電極のうちの１つを選択する行ドライバと、
を備え、
前記列ドライバと前記行ドライバは、ともに電流ドライバを備え、前記列ドライバは、１つの参照入力と複数の出力と、前記参照入力を前記列電極に選択的に接続する手段とを有する電流ミラーを備えることを特徴とするドライバ。
【請求項６】
前記選択された行電極を、前記一組の列電極全体での駆動に従って駆動するためのシステムをさらに備えることを特徴とする請求項５に記載のドライバ。
【請求項７】
前記列ドライバまたは前記行ドライバのうちの一方が制御可能な電流源を備え、他方が制御可能な電流シンクを備えることを特徴とする請求項５または６に記載のドライバ。
【請求項８】
前記列ドライバは、前記列電極駆動比率を決定するための複数の第１のデジタル−アナログコンバータを備え、前記行ドライバは、前記列電極全体での駆動を決定するための第２のデジタル−アナログコンバータを備え、前記第２のデジタル−アナログコンバータは、前記第１のデジタル−アナログコンバータよりも高い分解能を有することを特徴とする請求項５から７のいずれかに記載のドライバ。
【請求項９】
一組の前記発光要素の駆動レベルデータを、前記列電極駆動比率を決定するための第１のデータと、前記一組の列電極全体での駆動を決定するための第２のデータとに変換するデータプロセッサをさらに備えることを特徴とする請求項５から８のいずれかに記載のドライバ。
【請求項１０】
前記ディスプレイは、ＯＬＥＤディスプレイであり、前記発光要素は、有機発光ダイオードを備えることを特徴とする請求項５から９のいずれかに記載のドライバ。
【誤訳訂正２】
【訂正対象書類名】明細書
【訂正対象項目名】全文
【訂正方法】変更
【訂正の内容】
【発明の詳細な説明】
【発明の名称】パッシブマトリックスディスプレイドライバ
【技術分野】
【０００１】
本発明は、一般に、パッシブマトリックスディスプレイ、特に、ＯＬＥＤ（有機発光ダイオード）ディスプレイの駆動のための方法および装置に関するものである。
【背景技術】
【０００２】
ＯＬＥＤディスプレイのようなディスプレイは、アクティブマトリックスまたはパッシブマトリックスディスプレイとして特徴を有し得る。アクティブマトリックスディスプレイは、記憶素子、通常、各画素に連結される蓄積キャパシタとトランジスタを有し、一方、パッシブマトリックスディスプレイはそのような記憶素子はなく、代わりに安定した画像の印象を与えるために繰り返しスキャンされる。パッシブマトリックスディスプレイは、他のディスプレイフォーマット、例えば、セグメントディスプレイも可能であるが、通常、それぞれの行および列電極によってアドレスされるモノクロまたはカラー画素のマトリックスを含む。セグメントディスプレイにおいては、複数のセグメントは行（または列）電極に相当すると考えられる共通電極をシェアする。
【０００３】
グレースケールまたはカラーディスプレイ、すなわち、個々の画素（またはカラーサブ画素）の輝度が、完全にオンまたは完全にオフの２元状態ではなく可変的であるディスプレイを提供できることは望ましい。
【０００４】
画素の輝度を変化させる従来の方法は、パルス幅変調（ＰＷＭ）を使用して画素をオンタイムに変えるものである。従来のＰＷＭ法においては、画素は完全にオンかまたは完全にオフであり、しかし画素の見た目の輝度は観察者の目のなかの統合のために変化する。ＰＷＭ法は良好な直線的輝度応答を提供するが、駆動期間の一部の間画素が完全にオンされるためにＯＬＥＤの寿命は短くなり、ＯＬＥＤの寿命は、大まかに言って、画素駆動（輝度）の２乗で減少する。ＰＷＭ法に伴う他の欠点は、いくつかのディスプレイにおいて総電力消費の最大半分となり得る駆動電流の波形の先端における列容量の充電（および放電）から生じる。
【特許文献１】国際公開０３／０７９３２２号パンフレット
【発明の開示】
【発明が解決しようとする課題】
【０００５】
５０パーセントグレースケール画素の例を検討する。ＰＷＭスキームを使用して、これは有効な総駆動時間の半分の間最大輝度で駆動される。理想的には、有効な期間すべてを画素の駆動を行いたいが、寿命が駆動レベルに２次依存すると仮定するならば、半分の輝度において、２倍の寿命の増加を得る。しかしながら、この方法で列駆動電流を変える十分な数のビット精度のアナログ電流源を提供することは実用的でない。
【０００６】
駆動レベルと画素の輝度の間の関係は、ディスプレイガンマ、通常、ＯＬＥＤディスプレイでは約２．４によって決められる。典型的なＯＬＥＤディスプレイは、線形輝度制御の１２ビットに相当する２グレーレベル当たり６ビットのガンマを要求し得る。これに全体の輝度制御の追加の６ビットが加えられ、これはドライバが各列ドライバのために電流制御の１８ビット（２６２１４４：１）精度、各列ドライバの１枚のチップ上に３００を超えて存在し得ることを達成する必要があるかもしれないことを意味する。これは、技術的に困難なだけでなくコストもかかる。
【０００７】
したがって、パッシブマトリックスディスプレイ技術の改良の必要性がある。
【課題を解決するための手段】
【０００８】
本発明によれば、パッシブマトリックス電子発光ディスプレイの駆動方法であって、前記ディスプレイはそれぞれの行および列電極によってアドレスされた発光要素の複数の行および列を有し、前記方法は、一時点で１つの前記行電極をアドレスする工程、およびそれぞれの前記行電極をアドレスする間一組の前記列電極を駆動する工程を含み、前記列電極駆動は、前記一組の列電極について相互の列駆動信号の比を決めるために前記列電極を駆動する工程を含み、かつ前記方法は、それぞれの前記アドレスされた行における前記発光要素への駆動を制御するために前記一組の列電極に対して全体の駆動を制御することをさらに含む方法が提供される。
【０００９】
パッシブマトリックスディスプレイにおいては、どの電極が分類される行電極でありどの列電極であるかは任意であるものと理解される。本明細書で使用される用語は、可変的輝度駆動が使用される、代替的で、同等の構成を包含するものとする。
【００１０】
好ましくは、それぞれの一組の列電極についての全体的な駆動は、それぞれのアドレスされた行電極を順番に駆動することを制御することによって制御される。しかしながら、固定された駆動がそれぞれの前記行電極に順番に適用され、全体の制御が従来のパルススイッチ変調によって適用されるという替わりのスキームも考察されよう。本明細書に記載される原理は、ＯＬＥＤの輝度はそれを通る電流に直線的に依存するので、実用的には、ＯＬＥＤへの電流制御駆動を用いるのが普通であるが、理論的には、電流駆動だけでなく電圧駆動にも適用可能であることが理解されよう。
【００１１】
したがって、好ましい実施態様においては、電流ミラーは列電極を駆動するために使用され、前記電流ミラーは参照入力値および複数の出力を有し、前記出力は前記列電極に結合され、前記参照入力値は前記列電極の選択された１つに結合される。これは前記列電極への前記駆動の電流比制御を提供する。好ましくは、１または２以上の乗算型デジタル−アナログコンバータは、前記列駆動信号の掛け算（または割り算）比がデジタル制御されることを可能にするように電流ミラーで使用される。
【００１２】
電流ミラーは前記列電極の１つを供給する参照電流生成器に対比される複数の電流生成器を効果的に提供する。これら電流生成器は電流シンクまたは電流源を含み、言い換えると、列への電流駆動はポジティブまたはネガティブ電流を含むことができる。電流源が列電極を駆動するために使用されると、次いで電流シンクが選択された行電極のために導入されるか、または逆も行われるが、それぞれの行電極に順番に結合する電流生成器も同様である。
【００１３】
実施態様において、列駆動信号比を決めるためのデジタル−アナログコンバータは、アドレスされた行電極の全体の駆動を制御するデジタル−アナログコンバータより精度（分解能）が低い。例えば、列駆動比は１２ビット（４０９６：１）精度を採用し得るのに対し、例えば、駆動されている行上の電流シンクによって決められる全体の電流レベルは、例えば、１２、１８または２４ビットを超え、おそらく２６ビットまでのより正確な制御を有する。しかしながら、これは全ての行にシェアされるようにマルチプレクス化され得るのでただ１つの非常に正確な（高分解能の）電流シンク（または電流源）のみが必要とされることが理解されよう。
【００１４】
好ましい実施態様において、パッシブマトリックスディスプレイ駆動システムは、例えば、列駆動／信号比およびアドレスされた行電流生成器を制御するために、カラーまたはモノクロ画素駆動レベルデータを、比率のセットと全体的駆動に変換するシステムおよび全体の駆動を含む。例えば、列駆動の総量が参照値として使用されるならば、他の列駆動信号の各々はそれぞれこの最も高い駆動のごく一部分として表されることができ、最も高い駆動はその組の列の全体の駆動となる。
【００１５】
これらの技術はディスプレイの列のサブセットに適用されるか、実施態様において、全てのディスプレイの列に適用され得る。
【００１６】
好ましくは、ディスプレイはモノクロまたはカラーＯＬＥＤディスプレイを含む。しかしながら、上記の技術は、無機ＬＥＤディスプレイ、真空蛍光ディスプレイ（ＶＦＤ）、ＰＤＰ（プラズマディスプレイパネル）のようなプラズマディスプレイおよびｉＦｉｒｅ（登録商標）ディスプレイのような厚膜および薄膜（ＴＦＥＬ）電子発光ディスプレイを含むが、これらに限定されず、他のタイプの電子発光ディスプレイにも適用され得る。
【００１７】
本発明は、それぞれの行および列電極によってアドレスされる発光要素の複数の行および列を有するディスプレイを駆動するためのパッシブマトリックス電子発光ディスプレイドライバであって、一時点で１つの前記行電極をアドレスする手段、それぞれの前記行電極をアドレスする間一組の前記列電極を駆動する手段、前記列電極のために前記駆動信号の相互の比を決める手段、および前記一組の列電極について全体の駆動レベルを制御する手段を含むディスプレイドライバをさらに提供する。
【００１８】
他の側面において、本発明は、パッシブマトリックス電子発光ディスプレイのドライバであって、前記ディスプレイはそれぞれの行および列電極によってアドレスされる発光要素の複数の行および列を有し、前記ドライバは、一組の列電極駆動比に基づいて一組の列電極を駆動するための列ドライバ、前記行電極の１つを選択するための行ドライバ、および前記一組の列電極のための全体駆動を制御するためのシステムを含むドライバを提供する。
【００１９】
列電極駆動比の決定および全体の駆動のためのデジタルデータの入力が供給され得る。好ましくは、前述したように、列ドライバおよび行ドライバは、それぞれ電流源またはシンクのようなプログラム可能な電流生成器を含む。好ましくは、例えば、列ドライバにおける複数のデジタル‐アナログコンバータ及び行ドライバにおける１つの、より高い分解能のデジタル‐アナログコンバータを使用して、行ドライバの電流生成器は、列電極駆動比を決める列電極のための電流駆動システムより優れた精度または分解能によって制御可能である。好ましくは、このシステムは入力される駆動レベルデータを列駆動比データおよび全体の駆動レベルデータに変換するためのデータプロセッサも含む。このデータプロセッサーは専用のハードウェア、例えば、駆動統合回路の一部または蓄積されたプロセッサ制御コードの制御に基づいて動作するプログラム可能なプロセッサを含むことができる。
次に、本発明のこれらおよび他の側面を、添付の図に従って、単に例としてさらに説明する。
【発明を実施するための最良の形態】
【００２０】
有機発光ダイオードディスプレイ
有機金属ＬＥＤを含む有機発光ダイオードは、導入される材料に応じた色の範囲において、ポリマー、低分子およびデンドリマーを含む材料を使用して製造され得る。ポリマー系有機ＬＥＤの例は、ＷＯ９０／１３１４８、ＷＯ９５／０６４００およびＷＯ９９／４８１６０に記載されており、デンドリマー系材料の例は、ＷＯ９９／２１９３５およびＷＯ０２／０６７３４３に記載されており、いわゆる低分子系装置の例はＵＳ４，５３９，５０７に記載されている。典型的なＯＬＥＤ装置は有機材料の２層を含み、その１つは発光ポリマー（ＬＥＰ）、オリゴマーまたは発光低分子材料のような発光材料層であり、他はポリチオフェン誘導体またはポリアニリン誘導体のような正孔輸送材料層である。
【００２１】
有機ＬＥＤは画素のマトリック状に基板上に積層されて単一またはマルチカラー画素ディスプレイを形成することができる。マルチカラーディスプレイは、赤、緑および青色発光サブ画素のグループを使用して構成され得る。いわゆるアクティブマトリックスディスプレイは、通常は蓄積コンデンサとトランジスタである、各画素に連結されたメモリ素子を有し、パッシブマトリックスディスプレイはそのような記憶素子はなく、代わりに安定した画像の印象を与えるために繰り返しスキャンされる。他のパッシブディスプレイとしては、複数のセグメントが共通電極を共有し、セグメントはその他の電極に電圧を印加することにより照明され得るセグメントディスプレイがある。単純なセグメントディスプレイはスキャンされる必要がないが、複数のセグメント領域を有するディスプレイにおいては、電極が重複され（数を減らすため）、スキャンされることがある。
【００２２】
図１ａは、ＯＬＥＤ装置１００の例の垂直断面図を示す。アクティブマトリックスディスプレイにおいては、画素領域の一部は連結される駆動回路（図１ａでは示されていない）で占められている。装置の構造は例示のために幾分簡略化されている。
【００２３】
ＯＬＥＤ１００は、通常、０．７ｍｍまたは１．１ｍｍのガラス、しかし場合によって透明なプラスチックまたは他の実質的に透明な材料である基板１０２を備える。アノード層１０４は、表面部に金属接触層が供給される約１５０ｎｍの厚さのＩＴＯ（インジウム錫酸化物）を通常備え、基板上に積層される。通常、接触層は約５００ｎｍのアルミニウムまたはクロム層の間に挟まれたアルミニウム層を含み、これはしばしばアノード金属と呼ばれる。ＩＴＯで被覆されたガラス基板および接続金属はＣｏｒｎｉｎｇ，ＵＳＡから入手可能である。ＩＴＯ上の接続金属はアノード接続が透明である必要がない、特に装置への外部接続のための抵抗が低減された経路を提供することを補助する。接続金属は、フォトリゾグラフィーとそれに続くエッチングの標準プロセスによって、それが望まれない場所、特にそうしなければディスプレイを不透明にする場所であるＩＴＯから除去される。
【００２４】
実質的に透明な正孔輸送層１０６は、アノード層の上に積層され、続いて電子発光層１０８、およびカソード１１０が積層される。電子発光層１０８は、例えば、ＰＰＶ（ポリ（ｐ−フェニレンビニレン））を含み得、アノード層１０４と電子発光層１０８の正孔エネルギーレベルの適合を助ける正孔輸送層１０６は、導電透明ポリマー、例えば、ドイツのＢａｙｅｒ  ＡＧから入手可能なＰＥＤＯＴ：ＰＳＳ（ポリスチレン−スルホネートがドープされたポリエチレン−ジオキシチオフェン）を含み得る。典型的なポリマー系装置において、正孔輸送層１０６は約２００ｎｍのＰＥＤＯＴを含み得、発光ポリマー層１０８は通常約７０ｎｍの厚さである。これらの有機層はスピンコート（その後、プラズマエッチングまたはレーザーアブレーションによって不要な領域から材料を除去）またはインクジェット印刷で積層され得る。後者の場合、例えば、フォトレジストを使用してバンク１１２が基板上に形成され得、有機層がその中に積層され得るウェルを規定する。このようなウェルはディスプレイの発光領域または画素を規定する。
【００２５】
カソード層１１０は、通常、より厚いアルミニウムのキャップ層で覆われたカルシウムまたはバリウム（例えば、物理的蒸着により蒸着される）のような低仕事関数の金属を含む。選択的に、電子エネルギーレベルの適合の向上のためにフッ化バリウム層のような追加の層が電子発光層に隣接して供給され得る。カソード線の相互の電気的な隔離はカソードセパレータ（図１ａでは図示しない）の使用により達成され得るか増強され得る。
【００２６】
低分子およびデンドリマー装置のために同様の基本構造も導入され得る。通常、多数のディスプレイが単一の基板上に形成され、製造プロセスの最後に基板がスクライブされ、ディスプレイが分離され、その後、酸化および湿気の浸入を防ぐために封止缶がそれぞれに取り付けられる。
【００２７】
ＯＬＥＤを照明するために、図１ａにおける電池１１８によって示されるアノードとカソードの間に電力が印加される。図１ａに示される例においては、光が透明アノード１０４および基板１０２を貫通して放射され、カソードは通常は反射性である。このような装置は「底面発光体」と呼ばれる。カソードを貫通して放射する装置（「上面発光体」）も、例えば、カソードが実質的に透明になるように約５０ないし１００ｎｍ未満にカソード層１１０の厚さを保持することによって構築され得る。
【００２８】
これまでの記載は本発明の実施態様のいくつかの応用を理解するのを助けるために、単にＯＬＥＤディスプレイの１タイプを例示したに過ぎないことは理解されよう。Ｎｏｖａｌｅｄ  ＧｍｂＨによって製造されるようなカソードが底面にある逆型装置を含む、さまざまな他のタイプのＯＬＥＤがある。さらに、本発明の実施態様の応用はディスプレイ、ＯＬＥＤまたは他のものに限定されない。
【００２９】
有機ＬＥＤは画素のマトリックス状に基板上に積層されて単一またはマルチカラー画素ディスプレイを形成し得る。マルチカラーディスプレイは、赤、緑および青色発光サブ画素のグループを使用して構築することができる。このようなディスプレイにおいて、個々の素子は、通常、サブ画素を選択するために行（または列）を起動することによりアドレスされる。
【００３０】
図１ｂを参照すると、これはパッシブマトリックスＯＬＥＤディスプレイ装置１５０を貫通した概略断面図を示しており、図１ａと同じ要素は同じ参照番号で示されている。図示されるように、正孔輸送層１０６および電子発光１０８層は、それぞれアノード金属１０４およびカソード層１１０で規定される相互に直角のアノードとカソード交差部において複数の画素１５２に副分割される。図において、カソード層１１０に規定される導電線１５４は頁を貫通し、カソード線に対して直角に走る複数のアノード線１５８の１つの断面が示されている。カソードおよびアノード線の交差部の電子発光画素１５２は関連する線の間に電圧を印加することによりアドレスされ得る。アノード金属層１０４はディスプレイ１５０に外部接続を提供し、ＯＬＥＤに対するアノードおよびカソードの接続として使用され得る（アノード金属リード上のカソード層パターンを使用して）。上記のＯＬＥＤ材料、特に、発光ポリマーおよびカソードは酸素および湿気に影響を受けやすく、したがって、装置は金属缶１１１で封止され、ＵＶ硬化性エポキシ接着剤１１３によりアノード金属層１０４に付着され、接着剤中の小ガラスビーズがメタル缶の接触および短絡を防いでいる。
【００３１】
図２を参照すると、これは、図１ｂで示されるタイプのパッシブマトリックスＯＬＥＤディスプレイ１５０の駆動配列を概念的に示す。複数の一定電流生成器２００が供給され、それぞれ供給線２０２および複数の列ライン２０４の１つに接続されるが、そのうち１つだけが明確化のために図示される。複数の行ライン２０６（このうち１つだけが図示される）が供給され、それぞれスイッチ接続２１０によってグランド線２０８に選択的に接続され得る。図示されるように、ライン２０２上に正の供給電圧があり、列ライン２０４はアノード接続１５８を有し、行ライン２０６はカソード接続１５４を有する。ただし、電力供給ライン２０２が負であり、グランド線２０８に対するものであるならば、この接続は逆となる。
【００３２】
図示されるように、ディスプレイの画素２１２はこれに印加される電力を有し、したがって照明される。概念上は、映像を生成するために行は接続２１０よって選択され、全ての列は並行して書き込まれる。すなわち、所望の輝度で１つの行の各画素を点灯するために、列ラインのそれぞれに同時に電流が流される。
【００３３】
当業者には、パッシブマトリックスＯＬＥＤディスプレイにおいて、どの電極が行電極とされどの電極が列電極とされるかは任意であり、この明細書において、「行」と「列」は互いに、交換可能であることが理解されよう。
【００３４】
図３は従来のパッシブマトリックスＯＬＥＤディスプレイのための一般的な駆動回路の概略図３００を示す。ＯＬＥＤディスプレイは破線３０２によって示され、それぞれ対応する行電極接続３０６を有する複数ｎの行ライン３０４、および対応する複数の列電極接続３１０を有する複数ｍの列ライン３０８を有する。ＯＬＥＤは、例示される配列において、列ラインに接続されるアノードと共に、各行および列ラインの対の間に接続される。ｙ−ドライバ３１４は一定の電流によって列ライン３０８を駆動し、ｘ−ドライバ３１６は選択的に行ラインをグランドに接続して行ライン３０４を駆動する。ｙ−ドライバ３１４とｘ−ドライバ３１６は、通常、共にプロセッサ３１８の制御下にある。電力供給３２０は回路、特に、ｙ−ドライバ３１４に電力を供給する。
【００３５】
ＯＬＥＤディスプレイドライバのいくつかの例はＵＳ６，０１４，１１９、ＵＳ６，２０１，５２０、ＵＳ６，３３２，６６１、ＥＰ１，０７９，３６１ＡおよびＥＰ１，０９１，３３９Ａに記載されており、ＰＷＭを採用するＯＬＥＤディスプレイドライバ統合回路は、Ｃｌａｒｅ  Ｍｉｃｒｏｎｉｘ  ｏｆ  Ｃｌａｒｅ，Ｉｎｃ．，Ｂｅｖｅｒｌｙ，ＭＡ，ＵＳＡから販売されている。改良されたＯＬＥＤディスプレイドライバのいくつかの例は、出願人の同時係属中の出願ＷＯ０３／０７９３２２およびＷＯ０３／０９１９８３に記載されている。特に、参照として本明細書に組み込まれるＷＯ０３／０７９３２２は改良されたコンプライアンスを有するデジタル制御プログラム可能な電流生成器を記載している。
【００３６】
改良されたディスプレイ駆動技術
ＯＬＥＤディスプレイの寿命を改良することができる技術の継続的な必要性がある。パッシブマトリックスディスプレイはアクティブマトリックスディスプレイより製造コストがはるかに安いのでパッシブマトリックスディスプレイに応用可能な技術が特に必要である。ＯＬＥＤの駆動レベル（したがって輝度）の減少は装置の寿命を十分に延ばすことできる。例えば、ＯＬＥＤの駆動／輝度の半減は、およそ４倍寿命を延ばすことができる。本明細書では、特に、パッシブマトリックスＯＬＥＤディスプレイにおけるディスプレイ駆動レベルのピークを減らし、これによってディスプレイの寿命を延ばすために使用できる技術について記載する。
【００３７】
図４は、本発明の実施例の駆動スキームを行うパッシブマトリックスＯＬＥＤドライバ４００の概略図を示す。
【００３８】
図４において、図３を参照して記載されたディスプレイに類似するパッシブマトリックスＯＬＥＤディスプレイは行ドライバ回路４１２によって駆動される行電極３０６と列ドライバ４１０によって駆動される列電極３１０を有する。列ドライバ４１０は、列電極のための一組の電流駆動比を設定するための列データ入力４０９を有する。列ドライバの詳細は図５を参照して下記に記載される。行ドライバ４１２は、行を選ぶために行アドレス入力４１３および選択された行の全体の電流駆動、すなわち、事実上、選択された行における列ドライバ４１０によって駆動される一組の列の総電流駆動を設定するための行データ入力４１１を有する。好ましくは、入力４０９，４１１および４１３はインターフェースの容易化のためにデジタル入力である。このように、行ドライバは、デジタル制御電流生成器４１２ａ、この例では電流シンクを組み込んでいる。このようなデジタル制御可能な電流生成器の例は図５ｃに示されている。
【００３９】
ディスプレイのためのデータは、直列または並列のデータおよび制御バス４０２に供給される。バス４０２は、ディスプレイのそれぞれの画素のための輝度データ、またはカラーディスプレイにおいては、各サブ画素のための輝度情報（分離したＲＧＢカラー信号としてまたは輝度およびクロミナンス信号として、または他の方法により符号化され得る）を保存するフレーム蓄積メモリ４０３に入力を供給する。フレームメモリ４０３に保存されたデータは、ディスプレイの各画素（またはサブ画素）のために望まれる見た目の輝度を決め、この情報は、ディスプレイ駆動プロセッサ４０６によって第２の読みとりバス４０５によって読み取られ得る（実施態様において、バス４０５は省略され、替わりにバス４０２が使用され得る）。
【００４０】
ディスプレイ駆動プロセッサ４０６はハードウェア、ソフトウェアまたはこの２つの組み合わせとして実施され得る。図示されるように、プロセッサ４０６はプログラムメモリ４０７に保存されたコード（これはデータキャリアまたはリムーバブルストレージ４０７ａに供給され得る）によって実施され、クロック４０８の制御の下にワーキングメモリ４０４と共同で作動する。プログラムメモリ４０７中のコードは、ディスプレイの各画素のための輝度データを列駆動比データおよび対応する全体の行駆動データに変換するように設定されている。
【００４１】
図５ａは、比率化された列駆動の原理を図示する列ドライバ４１０の例を示す。このようにして、比率データは、列電極３１０に接続するプログラム可能な電流ミラー５００のための駆動電流比を設定する、好ましくはデジタルプログラム可能な一組の一定生成器５０２に供給される。参照列セレクタは、ここでは多極スイッチ５０４として概略的に示されているが、列電極の１つを電流ミラー５００の（参照）入力に選択的に接続する。
【００４２】
他の実施態様において、本明細書に参照として組み込まれる英国特許出願に記載されるように、自動選択器が導入され得る。
適切なプログラム可能な電流ミラー回路の例は、本明細書に参照として全体が組み込まれる２００５年９月２９日出願の本出願人のＰＣＴ出願ＧＢ２００５／０５０１６８（２００４年９月３０日出願の英国特許出願第０４２１７１１．３号の優先権を主張する）に記載されている。
【００４３】
大まかに言って、このＰＣＴ出願は、電子発光ディスプレイドライバのための電流生成器であって、前記電流生成器は、参照電流を受け入れる第１の、参照電流入力、比率化された電流を受け入れる第２の、比率化電流入力、第１の制御信号入力を受け入れる第１比率制御入力、前記第１比率制御入力に接続される制御入力と、前記参照電流入力に接続される電流入力と、前記比率化電流入力に接続される出力を有する制御可能な電流ミラーとを備え、前記電流生成器は制御入力上の信号が参照電流に対する比率化電流の比を制御するように設定されている電流生成器について記載している。（電流入力は正または負電流を含み得ることが想起されよう。）
【００４４】
好ましくは、この電流生成器は、第２比率制御入力をも含み、前記第１および第２電流入力に流れ込む電流の比率が、前記第１および第２比率制御入力における信号比率によって決められる。第１および第２制御信号は電流信号を含み、前記電流生成器はこれらの電流信号を供給する１または２以上のデジタル−アナログコンバータを含み得る。このようなデジタル−アナログコンバータは、各ビットに１つずつの、複数のＭＯＳスイッチを含むことができ、それぞれ、各電源を対応する電流設定抵抗器に切り替える（またはトランジスタ自体が電流を制限することがある）。
【００４５】
図５ａに示されるように、実施態様において、前記電流生成器は、複数の電極駆動接続の１つを前記参照電流入力に選択的に接続し、１または２以上の他の電極駆動接続を前記第２の、比率化電流入力に選択的に接続するセレクタまたはマルチプレクサを含む。３以上の電極が共に駆動されるとき、前記電流生成器は複数の第２の、比率化電流接続を有し得、そのそれぞれは駆動接続に選択的に接続され得る。
【００４６】
あるいは、電流ミラーはそれぞれ対応する第２の比率化電流を供給するための電極駆動接続にハード結合された複数の接続を有し得、前記１または２以上の比率制御入力は１または２以上の制御信号または制御可能電流生成器に選択的に結合される（セレクタまたはマルチプレクサが前記参照電流入力を電極駆動接続に選択的に接続するために採用される）。好ましくは（但し必須ではなく）最も大きな電流を運ぶ電極接続が参照として選択される。
【００４７】
いくつかの好ましい実施態様において、電流ミラーは複数のミラー単位を含み、それぞれ、選択可能な複数の電極駆動接続の各々に対して１つずつ、例えば双極トランジスタのようなトランジスタを有し、前記参照電流入力に結合されるミラー単位はベータヘルパーを有するトランジスタを有することができる。
【００４８】
ＰＣＴ出願は電子発光ディスプレイの複数の電極を駆動するための電流駆動回路であって、前記駆動回路は、制御信号を受信する制御入力、複数のディスプレイ電極のための複数の駆動接続、第１接続として複数の駆動接続の１つおよび第２接続として前記駆動接続の他の少なくとも１つを選択するために設定されたセレクタ、第１および第２の接続のための第１および第２の駆動信号をそれぞれ供給するために設定されたドライバを含み、前記第１および第２駆動信号の比率が前記制御信号に基づいて制御される電流駆動回路について記載する。
【００４９】
次に、図５ｂを参照することにより、列ドライバ４１０の例についてさらに説明する。
【００５０】
図示される列ドライバ４１０はそれぞれデジタル−アナログコンバータ５１５の制御下にある２つのデジタル制御可能な電流源５１７を組み込む。この実施態様において、１つのデジタル制御可能な電流源が駆動される各列電極に供給される。これらは、例えば、下記の図５ｃの配列を使用して実行され得る。
【００５１】
制御可能な電流源５１７は、列駆動レベルの比率に対応する望まれる比率において電流を供給するようにプログラムすることができる。制御可能な電流源５１７は、第１（負の）参照電流を受け入れる入力５５２および１または２以上の出力電流を供給するための１または２以上の出力５５４を有する比率制御電流ミラー５５０に結合され、前記入力電流に対する出力電流の比はライン４０９上の列データに基づいて制御可能な電流生成器５１７によって規定される制御入力の比によって決定される。
【００５２】
図５ｆおよび５ｇは、それぞれグランド参照値および正供給参照値を有し、入力および出力電流の趣旨を示す、従来の電流ミラー配列を示す。これらの電流は同じであるが、正または負であり得ることが分かる。
【００５３】
図５ｂの例においては、２つの列電極セレクタ／マルチプレクサ５５６ａ、ｂは、参照電流を供給するための１つの列電極の選択及び出力電流を供給するための他の電極の選択が可能になるように供給される。選択的に、他のマルチプレクサ５５６ｂおよびミラー５５０からの出力が供給され得る。
【００５４】
図示されるように、列ドライバ４１０は２つの列を同時に駆動するための選択を可能にするが、実用的には他の配列のも採用され得る。例えば、一組の列がそれぞれ比率化された列電流ドライバを有するブロックに分割され、（例えば、１つの参照値および１１のミラーを使用する１２の列）、または単一の比率化された列電流ドライバがディスプレイの全ての列に供給され得る。
【００５５】
制御可能な電流源の実施例の詳細が図５ｃに示される。
【００５６】
回路の例の下部において、制御可能な電流源５１７は、電流ミラー配列において電力ライン５１８に接続されている１組のトランジスタ５２２、５２４を有することがわかる。この例において、列ドライバは電流源を有するので、これらは正の供給ラインに接続されるＰＮＰ双極性トランジスタである。電流シンクを供給するためにグランドに接続されたＮＰＮトランジスタが採用される。他の配列において、ＭＯＳトランジスタが使用され得る。
【００５７】
デジタル−アナログコンバータ５１５はそれぞれ複数のＦＥＴスイッチ５２８、５３０、５３２（この例では、３つのスイッチ）を有し、それぞれ電力源５３４、５３６、５３８に接続される。ゲート接続５２９、５３１、５３３は、それぞれの電源を対応する電流設定抵抗器５４０、５４２、５４４に切り替えるデジタル入力を供給し、それぞれの抵抗器は電流ミラー５１７の電流入力５２６に接続される。電力供給は２の累乗で増減する電圧を有する。すなわち、ＦＥＴゲート接続上のデジタル値がライン５２６上の対応する電流に変換されるように、次の最低電力供給からＶgs降下を差し引くそれぞれ２倍の電圧である。あるいは、電力供給は同じ電圧を有することができ、抵抗器５４０、５４２，５４４は増減され得る。
【００５８】
図５ｃにおける上部の回路は、それぞれ１、２および４つの同様の大きさのＭＯＳトランジスタを制御する２値データ入力Ｂ０、Ｂ１、Ｂ２を有する替わりのＤ／Ａ制御電流源／シンク５４６を示す。あるいは、複数のトランジスタが示される場合、１つの適切な大きさの、より大きなトランジスタが替わりに採用され得る。
【００５９】
図４の制御可能電流シンク４１２ａは図５ｃで示される方法と同様の方法で実施され得るが、電流源ミラーではなく電流シンクを採用する。
【００６０】
図５ｄは、電流シンンクとして示されるプログラム可能な比率制御電流ミラー５５０の例の詳細を示すが、当業者であればこの回路は電流源を供給するものに容易に改良され得ることが認識されよう。
【００６１】
この例の実施において、いわゆるベータヘルパー（Ｑ５）を有する双極性電流ミラーが採用されるが、当業者は多くの他のタイプの電流ミラー回路も使用され得ることを理解する。図５ｄの回路において、Ｖ１は通常約３Ｖの電源であり、Ｉ１およびＩ２はＱ１およびＱ２のコレクターの電流比率を規定する。２つのライン５５２、５５４の電流の比率はＩ１対Ｉ２であり、したがって与えられる総列電流はこの比率で２つの選択された列の間に区分される。当業者は、破線５５８内の回路の繰り返し実施することによってこの回路を任意の数のミラー化された列に拡張できることが理解できよう。
【００６２】
図５ｅは、やはり電流シンクとして示されている、プログラム可能な電流ミラーの例をさらに示す。この実施例において、各列には図５ｄの破線５５８内に対応する回路、すなわち電流ミラー出力段階が供給される。１または２以上の列セレクタは、これら電流ミラー出力段階の選択されたものを１または２以上のそれぞれのプログラム可能な参照電流供給（電流源またはシンク）に結合する。ただし、他の配列において、それぞれの出力段階にプログラム可能な参照電流供給を提供することが好ましい。他のセレクタは電流ミラーの参照入力として使用される列を選択する。
【００６３】
上記の列ドライバにおいて、独立した電流ミラー出力が完全なディスプレイのそれぞれの列または前記ディスプレイの列のブロックの各列に供給されるならば、列選択は導入される必要がない。
【００６４】
多くの他の有効な代替があり得ることは当業者には自明である。本発明は、上記の実施態様に限定されず、本発明の特許請求の範囲内に属する当業者に自明な変更も包含するものと理解されよう。
【図面の簡単な説明】
【００６５】
【図１ａ】ＯＬＥＤ装置の垂直断面図を示す。
【図１ｂ】パッシブマトリックスＯＬＥＤディスプレイの概略断面図を示す。
【図２】パッシブマトリックスＯＬＥＤディスプレイの概念的な駆動配列を示す。
【図３】公知のパッシブマトリックスＯＬＥＤディスプレイドライバのブロック図を示す。
【図４】本発明の側面を実施するディスプレイドライバを示す。
【図５ａ】比率化された列電流駆動を示す列ドライバの例を示す。
【図５ｂ】追加の列ドライバの例を示す。
【図５ｃ】制御可能な電流源の実施例を示す。
【図５ｄ】プログラム可能な電流ミラーの例を示す。
【図５ｅ】プログラム可能な電流ミラーの第２の例を示す。
【図５ｆ】公知の電流ミラーのブロック図を示す。
【図５ｇ】公知の電流ミラーのブロック図を示す。
【符号の説明】
【００６６】
１０２  基板
１０４  アノード層
１０６  正孔輸送層
１０８  電子発光ポリマー層
１１０  カソード層
１１１  金属缶
１１２  バンク
１１３  エポキシ接着剤
１５２  電子発光層
１５４  導電ライン
１５８  アノードライン
２００  電流生成器
２０２  供給ライン
２０４  列ライン
２０６  行ライン
２０８  グランドライン
２１０  接続
３０２  破線
３０４  行ライン
３０６  電極接続
３０８  列ライン
３１０  列電極接続
３１４  Ｙドライバ
３１６  Ｘドライバ
４０２  バス
４０３  フレームメモリ
４０４  ワーキングメモリ
４０５  第２読取りバス
４０６  ディスプレイ駆動プロセッサ
４０７  プログラムメモリ
４０８  クロック
４１０  列ドライバ
４１２  電流生成器
４１３  入力
５００  電流ミラー
５１５  デジタル−アナログコンバータ
５１７  電流ミラー
５２６  電流入力
５２８  ＦＥＴスイッチ
５３０  ＦＥＴスイッチ
５３２  ＦＥＴスイッチ
５３４  電力供給
５３６  電力供給
５３８  電力供給
５５２  入力
５５４  出力
【誤訳訂正３】
【訂正対象書類名】図面
【訂正対象項目名】図５ａ
【訂正方法】変更
【訂正の内容】
【図５ａ】
2009521004.tif 000001
【誤訳訂正４】
【訂正対象書類名】図面
【訂正対象項目名】図５ｂ
【訂正方法】変更
【訂正の内容】
【図５ｂ】
2009521004.tif 000002
【誤訳訂正５】
【訂正対象書類名】図面
【訂正対象項目名】図５ｄ
【訂正方法】変更
【訂正の内容】
【図５ｄ】
2009521004.tif 000003